(57)【要約】      （修正有）【課題】筆記具によらずに車を駐車した位置、区域ナンバーや記号等を記録でき、車を駐車した位置まで迷わずに戻ることができるようにした駐車券を提供すること。【解決手段】駐車場の入庫時に発行される駐車券１に、少なくとも車のキーでもって任意の文字や図形を記入できる記入可能スペース１２を設ける。また記入可能スペース１２を感圧記録材質を塗布して構成した。【選択図】図１
2010102472.tif 000002
【特許請求の範囲】
【請求項１】
駐車場の入庫時に発行される駐車券に、少なくとも車のキーでもって任意の文字や図形を記入できる記入可能スペースを設けたことを特徴とする駐車券。
【請求項２】
記入可能スペースを、感圧記録材質を塗布して構成したことを特徴とする請求項１記載の駐車券。
【請求項３】
記入可能スペースの使用方法の説明欄を設けたことを特徴とする請求項１又は２記載の駐車券。
【発明の詳細な説明】
【技術分野】
【０００１】
本発明は、駐車券に関し、特に、少なくともキーを筆記具の代わりに用いて任意の文字や図形を記入できるようにした駐車券に関するものである。
【背景技術】
【０００２】
従来、ショッピングや見送り等のために自家用車で来る人のため、ショッピングモールや空港等に駐車場が併設されている。この駐車場は、予め設定した集客数に見合った台数の車が駐車できるようにしてその大きさが定められている。
また、近年ではショッピングモールや空港等においては、安全性を確保したり、不法駐車を未然に防ぐために有料化となっており、駐車場に入庫時に入庫した時刻等が記録された駐車券が発行されるようになっている。
さらに、大型のショッピングモールや空港等においては、同じ駐車場に数十台〜数百台或いはそれ以上の車が駐車できるように、その規模も大きくなっている。
このような大型の駐車場においては、車の駐車位置を確認し易いように区域ゾーンを設定し、各区域ゾーン毎に区域ナンバーや記号を付すようにして、ショッピングや見送り等を終えた後、自分の車を駐車した位置、区域ナンバーや記号を覚えておくことで容易に探し出すことができるようにしている。
【０００３】
ところで、一般的に、駐車場は画一的なデザインで統一されているため、自分の車を駐車した位置がわかりにくく、また、区域ナンバーや記号を忘れてしまうこともある。
一方、駐車毎に駐車場にて発行される駐車券には、入庫時刻等が記録されているが、実際に駐車した位置、区域ナンバーや記号等は駐車券に記録されることはない。
このため、筆記具を持参していれば、自分の車を駐車した位置、区域ナンバーや記号等を駐車券等の紙に記録することができ、車を駐車した位置まで迷わずに戻ることができる。
【０００４】
しかしながら、筆記具を携行していない場合には、自分の車を駐車した位置、区域ナンバーや記号等を記録できないという問題があった。
【発明の開示】
【発明が解決しようとする課題】
【０００５】
本発明は、上記駐車に関する問題点に鑑み、筆記具によらずに車を駐車した位置、区域ナンバーや記号等を記録でき、車を駐車した位置まで迷わずに戻ることができるようにした駐車券を提供することを目的とする。
【課題を解決するための手段】
【０００６】
上記目的を達成するため、本発明の駐車券は、駐車場の入庫時に発行される駐車券に、少なくとも車のキーでもって任意の文字や図形を記入できる記入可能スペースを設けたことを特徴とする。
【０００７】
この場合において、記入可能スペースを、感圧記録材質を塗布して構成することができる。
【０００８】
また、記入可能スペースの使用方法の説明欄を設けることができる。
【発明の効果】
【０００９】
本発明の駐車券によれば、駐車場の入庫時に発行される駐車券に、少なくとも車のキーでもって任意の文字や図形を記入できる記入可能スペースを設けることにより、筆記具によらずに車を駐車した位置、区域ナンバーや記号等を駐車券に記録でき、車を駐車した人が車を駐車した位置まで迷わずに戻ることができるとともに、車を駐車した位置を忘れる人の数を低減することができるため、駐車場の管理者の管理の手間を低減することができる。
【００１０】
また、記入可能スペースを、感圧記録材質を塗布して構成することにより、記入可能スペースを低コストで設けることができる。
【００１１】
また、記入可能スペースの使用方法の説明欄を設けることにより、注意喚起や初めて使用する人に駐車券の使用方法を容易に理解してもらうようにすることでき、車を駐車した位置を忘れる人の数を一層低減することができる。
【発明を実施するための最良の形態】
【００１２】
以下、本発明の駐車券の実施の形態を、図面に基づいて説明する。
【実施例１】
【００１３】
図１〜図２に、本発明の駐車券の一実施例を示す。
この駐車券１は、有料駐車場等にて発行されるもので、駐車券１には、必要に応じて、駐車場名や宣伝文句を予め印刷等にて記録しておくとともに、駐車時刻を駐車時に印字機にて記録されるようにするが、この駐車時刻記録スペース１１以外に、少なくとも車のキーの先端の尖った部分でもって任意の文字や図形を記入できる記入可能スペース１２を設けるようにしている。
【００１４】
この記入可能スペース１２は、駐車券１の表面或いは裏面のいずれか片方の全面或いは図１に示すように、その一部に形成するようにする。
【００１５】
本実施例において、記入可能スペース１２は、駐車券１の基材に、車のキーの先端の尖った部分でもって加圧することで容易に任意の文字や図形を記入（出現）できる感圧記録材質を塗布して構成するようにしているが、駐車券１自体を感圧記録紙で構成する等、車のキーの先端の尖った部分でもって任意の文字や図形を記入できる任意の材料や素材を用いることができる。
【００１６】
なお、記入可能スペース１２への文字や図形の記入は、車のキー以外のものでも可能である。
【００１７】
なお、この駐車券１は、レシートと同じように、駐車時刻を印字する印字機（図示省略）より順次繰り出される長いテープ状のものを一定寸法に切断して発行するようにすることも、或いは、予め１枚づつカットされたものを発行するようにすることもできる。
【００１８】
また、駐車券１の記入可能スペース１２の使用方法の説明欄１４を設けることができる。
これにより、注意喚起や初めて使用する人に駐車券１の使用方法を容易に理解してもらうようにすることでき、車を駐車した位置を忘れる人の数を一層低減することができる。
【００１９】
次に、この駐車券の使用方法について説明する。
上記駐車券１は、従来と同様に駐車場に車を止めたとき、その入口で入庫時刻が印字された駐車券が発行される。
そして、空き駐車スペースに駐車したとき、運転者或いは利用者は、駐車位置の記憶が確実なときに、筆記具により、また、筆記具によらなくても、車のキーを筆記具代わりに用いてキーの先端の尖った部分でもって加圧することで任意の文字や図形を記入できる駐車券１の記入可能スペース１２に、車を駐車した位置、区域ナンバーや記号等を記録することができるようにし、これによって、車を駐車した人が車を駐車した位置まで迷わずに戻ることができるとともに、車を駐車した位置を忘れる人の数を低減することができるため、駐車場の管理者の管理の手間を低減することができる。
【００２０】
以上、本発明の駐車券について、その実施例に基づいて説明したが、本発明は上記実施例に記載した構成に限定されるものではなく、その趣旨を逸脱しない範囲において適宜その構成を変更することができるものである。
【産業上の利用可能性】
【００２１】
本発明の駐車券は、筆記具によらずに車を駐車した位置、区域ナンバーや記号等を記録でき、車を駐車した位置まで迷わずに戻ることができる特性を有していることから、大規模な駐車場の駐車券の用途に好適に用いることができる。
【図面の簡単な説明】
【００２２】
【図１】本発明の駐車券の一実施例を示す説明図である。
【図２】同断面図である。
【符号の説明】
【００２３】
１    駐車券
１１  駐車時刻記録スペース
１２  記入可能スペース
１３  感圧記録材質
１４  説明欄
【図１】
2010102472.tif 000003
【図２】
2010102472.tif 000004